(57)【要約】本発明は、グリーンメッセージングサービスを利用するための方法を提供する。基地局が、メッセージングユニットからショートメッセージサービス（ＳＭＳ）メッセージを受信する。コントローラが、そのメッセージングユニットがグリーンサービスに加入しているかどうかを判定する。そのメッセージングユニットがそのグリーンサービスに加入している場合、コントローラは、受信されたＳＭＳメッセージをグリーンＳＭＳメッセージに変更する。
2012501491.tif 000002
【特許請求の範囲】
【請求項１】
第１のメッセージングユニットからテキストメッセージを受信するステップと、
前記第１のメッセージングユニットがサービスに加入しているかどうかを判定するステップと、
前記通信ユニットが前記サービスに加入している場合、前記第１のメッセージングユニットが前記サービスに加入しているという表示を含めるように前記テキストメッセージを変更するステップとを含む、方法。
【請求項２】
前記サービスに参加するよう前記テキストメッセージの受信側を勧誘するステップをさらに含む、請求項１に記載の方法。
【請求項３】
前記第１のメッセージングユニットがテキストメッセージを送信するたびに前記第１のメッセージングユニットの口座に料金請求することによって前記サービスに関して前記口座に料金請求するステップをさらに含む、請求項１に記載の方法。
【請求項４】
前記第１のメッセージングユニットがテキストメッセージを送信するたびに前記口座に料金請求する前記ステップが、前記第１のメッセージングユニットがテキストメッセージを送信するたびに前記口座に可変金額を料金請求するステップを含む、請求項３に記載の方法。
【請求項５】
前記第１のメッセージングユニットがテキストメッセージを送信するたびに前記口座に可変金額を料金請求する前記ステップが、前記テキストメッセージを送信するために使用された推定エネルギー量に基づく金額を前記口座に料金請求するステップを含む、請求項４に記載の方法。
【請求項６】
グリーンメッセージングサービスを利用する方法であって、
メッセージングユニットからショートメッセージサービス（ＳＭＳ）メッセージを受信するステップと、
前記メッセージングユニットがグリーンサービスに加入しているかどうかを判定するステップと、
前記メッセージングユニットが前記グリーンサービスに加入している場合、前記受信されたＳＭＳメッセージをグリーンＳＭＳメッセージに変更するステップとを含む、方法。
【請求項７】
前記受信されたＳＭＳメッセージをグリーンＳＭＳメッセージに変更する前記ステップが、前記グリーンサービスに関する表示を前記ＳＭＳメッセージに追加するステップを含む、請求項６に記載の方法。
【請求項８】
前記表示が、前記ＳＭＳメッセージの前記テキストのフォーマットに対する変更を含む、請求項７に記載の方法。
【請求項９】
前記テキストの前記フォーマットに対する前記変更が、前記テキストの色を変更するステップを含む、請求項８に記載の方法。
【請求項１０】
前記表示が、自然背景を含む背景模様を含む、請求項７に記載の方法。
【発明の詳細な説明】
【技術分野】
【０００１】
本発明は、一般に通信システムに関し、より詳細には、メッセージングサービスに関する。
【背景技術】
【０００２】
多くの科学者は、環境に対する温室効果ガスの影響について懸念している。環境に対する温室効果ガスの考えられる影響に対処する一手法は、代替エネルギー源の導入および使用による。
【０００３】
代替エネルギー源に伴う１つの問題はコストである。代替エネルギー源の費用効果が高かった場合、当該エネルギー源は、広く受け入れられることになり、もはや「代替」とは見なされなくなる。
【発明の概要】
【発明が解決しようとする課題】
【０００４】
非常に競争的な経済環境において、より高いエネルギーコストを顧客に転嫁することは困難である。したがって、経済的に実現可能な、温室効果ガスを生成する燃料使用を削減する方法に対する必要性が存在する。
【課題を解決するための手段】
【０００５】
本発明は一般に、通信システム内でグリーンサービスを提供することに関する。無線ネットワークは、メッセージングユニットからテキストメッセージを受信する。このテキストメッセージは、ショートメッセージサービス（ＳＭＳ）メッセージであることが好ましい。
【０００６】
無線ネットワークは、そのメッセージングユニットがグリーンサービスに加入しているかどうかを、好ましくは、基地局に無線ネットワーク内のプロセッサと通信させることによって判定する。プロセッサは、そのメッセージングユニットがグリーンサービスに加入しているかどうかを判定する。プロセッサは、好ましくは、加入者データベースにアクセスして、そのメッセージングユニットに関連する加入者記録内のフィールドを検査する。そのメッセージングユニットがグリーンサービスに加入していない場合、無線ネットワークは、当初受信されたテキストメッセージを送信する。
【０００７】
そのメッセージングユニットがグリーンサービスに加入している場合、プロセッサは、受信されたテキストメッセージをグリーンテキストメッセージに変更する。このグリーンテキストメッセージは、受信されたテキストメッセージのテキストと、そのメッセージが環境に優しいメッセージであるという表示とを含む。例えば、この表示は、画像、テキストのフォーマットに対する変更、背景の変更、またはそのメッセージが環境問題に敏感なユーザから受信されているという任意のその他の表示とすることができる。
【０００８】
１つの例示的な実施形態では、この画像は、地球の絵、リサイクル記号、木、または環境に関する任意のその他の画像などのアイコンである。
【０００９】
別の例示的な実施形態では、このテキストは、グリーンサービスへの加入を示すように変更される。例えば、メッセージのテキストは、送信側がグリーンサービスに加入していることを受信側に示すために、グリーンに変更することができる。
【００１０】
別の例示的な実施形態では、メッセージの背景は、送信側がグリーンサービスに加入していることを示すように変更される。例えば、グリーンＳＭＳメッセージの背景は、グリーンに変更することができ、または滝、森林、樹皮、もしくは任意のその他の環境に優しい背景など、受信側に環境を連想させる模様を有することもできる。
【００１１】
無線ネットワークは、グリーンテキストメッセージを送信するメッセージングユニットに関連するグリーン口座に料金請求することが好ましい。これによって、送信側メッセージングユニットのユーザは、送信されたそれぞれのメッセージごとに料金を支払うこと、または毎月のサービス料金を支払い、それによって当該ユーザのエネルギー使用部分を相殺することが可能になる。
【００１２】
１つの例示的な実施形態では、無線ネットワークは、勧誘テキストメッセージを受信側メッセージングユニットに送信することによって、グリーンサービスに参加するようメッセージ受信側を勧誘する。この勧誘テキストメッセージは、グリーンサービスに加入するよう受信側メッセージングユニットを勧誘するメッセージである。受信側メッセージングユニットが、テキストメッセージを無線ネットワークに返送することによってなど、肯定的に応答した場合、無線サービスプロバイダは、受信側メッセージングユニットをグリーンサービスに登録する。勧誘テキストメッセージは、グリーンサービスに関する詳細を含むウェブサイトへのリンクを含むことができる。
【００１３】
第１の例示的な実施形態によれば、送信側メッセージングユニットは、送信されたそれぞれのメッセージごとに固定金額を料金請求される。あるいは、メッセージの長さ、メッセージを送信するために使用された推定エネルギー量、メッセージを送信するのに関与したセルサイトの数、日時、またはその他の要因など、様々な要因に基づく金額を送信側メッセージングユニットに料金請求することもできる。
【００１４】
テキストメッセージがグリーンテキストメッセージに変更されると、基地局は、そのグリーンテキストメッセージを受信側メッセージングユニットに送信する。
【図面の簡単な説明】
【００１５】
【図１】本発明の１つの例示的な実施形態による無線通信システムを示す図である。
【図２】本発明の１つの例示的な実施形態による、グリーンメッセージングサービスを利用するための方法の流れ図である。
【図３】本発明の１つの例示的な実施形態による、グリーンメッセージングサービスに参加するようメッセージ受信側を勧誘するための方法の流れ図である。
【発明を実施するための形態】
【００１６】
本発明は、図１〜３を参照することによって、よりよく理解されよう。図１は、本発明の１つの例示的な実施形態による無線通信システム１００を示している。無線通信システム１００は、メッセージングユニット１０１と、メッセージングユニット１２１と、無線ネットワーク１０２とを含む。無線ネットワーク１０２は、基地局１０３と、データベース１０５と、プロセッサ１０７とを含む。
【００１７】
無線通信システム１００は、通常、複数のメッセージングユニットを含み、無線ネットワーク１０２は、好ましくは、複数の基地局、および追加の機器も含むが、分かりやすいように、メッセージングユニット１０１および１３１、基地局１０３、データベース１０５、ならびにプロセッサ１０７だけが図１に示されている点を理解されたい。
【００１８】
無線ネットワーク１０２は、メッセージングユニットと、無線ネットワーク１０２に接続されたネットワークに接続されたその他のメッセージングユニットまたはデバイスとの間の通信を円滑にするネットワークである。
【００１９】
基地局１０３は、メッセージングユニットとの無線通信、および無線ネットワーク１０２内のコアネットワーク要素との通信も提供するネットワーク要素である。無線ネットワーク１０２は、複数の基地局を含むことが好ましい。
【００２０】
データベース１０５は、メッセージングユニット１０１など、加入メッセージングユニットに提供されるサービスに関する情報を含む。データベース１０５は、メッセージングユニット１０１およびその他のメッセージングユニットに関するメッセージング計画情報を含む。１つの例示的な実施形態では、データベース１０５は、加入者が何のサービスに加入したかに関する情報、ならびに利用可能なタイプの表示に関する情報を含む。
【００２１】
プロセッサ１０７は、基地局１０３からＳＭＳメッセージを受信して、そのＳＭＳメッセージの送信側がグリーンサービスに加入しているかどうかを判定するプロセッサである。これは、メッセージングユニットがグリーンサービスに加入しているかどうかを判定するために、メッセージングユニット１０１に関連する加入者記録を検査することによって達成されることが好ましい。１つの例示的な実施形態では、メッセージングユニット１０１がグリーンサービスに加入しているかどうかを示すフラグが、加入者記録内に存在する。
【００２２】
プロセッサ１０７は、受信されたＳＭＳメッセージがどのようにグリーンＳＭＳメッセージへと変更されるべきかをも決定する。１つの例示的な実施形態では、プロセッサ１０７は、メッセージユニット１０１に関連する加入者記録内の情報を検査することによって、この決定を行う。メッセージングユニット１０１は、そのグリーンサービスを使用して送信されたメッセージがその受信側に対してどのように出現するかを選択できることが好ましい。
【００２３】
１つの例示的な実施形態では、メッセージングユニット１０１は、グリーンサービスに関する料金を支払う。これらの料金から生み出された収益は、グリーン基金口座内またはグリーンエネルギー利用を促進するために使用されるいくつかのその他の基金内に置かれることが好ましい。このグリーン基金口座は、運用口座と別個であることが好ましい。このグリーン基金口座内の資金は、好ましくは、環境に優しい商品およびサービスの代金を支払うために使用される。例えば、このグリーン基金口座からの資金は、再生可能なエネルギー源からその電力を取得する会社から電力を購入するために使用されてもよい。あるいは、このグリーン基金口座からの資金は、より古く、エネルギー効率がより低い機器と置き換えるために、エネルギー効率の高い新しい機器を購入するために使用されてもよい。さらに、このグリーン基金口座からの資金は、エネルギー効率の高い技術への調査努力に投資されてもよい。
【００２４】
メッセージングユニット１０１は、テキストメッセージを送信する能力を含む移動体電話であることが好ましい。あるいはメッセージングユニット１０１は、ポケットベル、またはテキストメッセージを送信することが可能な任意のその他のユニットであってもよい。例えば、メッセージングユニット１０１は、セルラ電話、ポケットベル、無線端末、陸線電話、ボイスオーバＩＰ（ＶｏＩＰ）電話、またはメッセージを別のユーザに送信することが可能な任意のその他の機器であってもよい。
【００２５】
信号１１１は、メッセージングユニット１０１と基地局１０３との間で送信される無線信号である。１つの例示的な実施形態では、信号１１１はＳＭＳメッセージである。
【００２６】
信号１３１は、基地局１０３とメッセージングユニット１０１との間で送信される無線信号である。１つの例示的な実施形態では、信号１３１は、信号１１１からのテキストを含むが、そのＳＭＳメッセージの送信側がグリーンＳＭＳサービスに加入しているという表示も含むグリーンＳＭＳメッセージである。
【００２７】
図２は、本発明の１つの例示的な実施形態による、グリーンメッセージングサービスを利用するための方法の流れ図２００を示している。
【００２８】
無線ネットワーク１０２は、メッセージングユニット１０１からテキストメッセージ１１１を受信する（２０１）。テキストメッセージ１１１は、ショートメッセージサービス（ＳＭＳ）メッセージであることが好ましい。
【００２９】
無線ネットワーク１０２は、メッセージングユニットがグリーンサービスに加入しているかどうかを判定する（２０３）。１つの例示的な実施形態では、基地局１０３は、メッセージングユニットがグリーンサービスに加入しているかどうかを判定するために、プロセッサ１０７と通信する。プロセッサ１０７は、好ましくは、データベース１０５にアクセスして、そのメッセージングユニットに関連する加入者記録内のフィールドを検査する。そのメッセージングユニットがグリーンサービスに加入していない場合、このプロセスは、ステップ２０７に進んで、当初受信されたテキストメッセージを送信する。
【００３０】
メッセージングユニット１０１が、ステップ２０３で判定された際にグリーンサービスに加入している場合、プロセッサ１０７は、受信されたテキストメッセージをグリーンテキストメッセージに変更する（２０５）。１つの例示的な実施形態では、このグリーンテキストメッセージは、受信されたテキストメッセージのテキストと、そのメッセージが環境に優しいメッセージであるという表示とを含む。例えば、この表示は、画像、テキストのフォーマットに対する変更、背景の変更、またはそのメッセージが環境問題に敏感なユーザから受信されているという任意のその他の表示とすることができる。
【００３１】
１つの例示的な実施形態では、この画像は、地球の絵、リサイクル記号、木、または環境に関する任意のその他の画像などのアイコンである。
【００３２】
別の例示的な実施形態では、このテキストは、グリーンサービスへの加入を示すように変更される。例えば、メッセージのテキストは、送信側がグリーンサービスに加入していることを受信側に示すために、グリーンに変更することができる。
【００３３】
別の例示的な実施形態では、メッセージの背景は、送信側がグリーンサービスに加入していることを示すように変更される。例えば、グリーンＳＭＳメッセージの背景は、グリーンに変更することができ、または滝、森林、樹皮、もしくは任意のその他の環境に優しい背景など、受信側に環境を連想させる模様を有することもできる。
【００３４】
１つの例示的な実施形態によれば、無線ネットワーク１０２は、メッセージングユニット１０１に関連するグリーン口座に料金請求する。これによって、メッセージングユニット１０１のユーザは、送信されたそれぞれのメッセージごとに料金を支払い、それによって、当該ユーザのエネルギー使用部分を相殺することが可能になる。
【００３５】
第１の例示的な実施形態によれば、メッセージングユニット１０１は、送信されたそれぞれのメッセージごとに固定金額を料金請求される。第２の例示的な実施形態によれば、メッセージングユニット１０１は、メッセージの長さ、メッセージを送信するために使用された推定エネルギー量、メッセージを送信するのに関与したセルサイトの数、日時、またはその他の要因など、様々な要因に基づく金額を料金請求される。
【００３６】
基地局１０３は、グリーンテキストメッセージ１３１をメッセージングユニット１２１に送信する（２０７）。
【００３７】
図３は、本発明の１つの例示的な実施形態による、グリーンメッセージングサービスに参加するようメッセージ受信側を勧誘するための方法の流れ図３００を示している。
【００３８】
無線ネットワーク１０２は、メッセージングユニット１０１からテキストメッセージ１１１を受信する（３０１）。テキストメッセージ１１１は、ショートメッセージサービス（ＳＭＳ）メッセージであることが好ましい。
【００３９】
無線ネットワーク１０２は、メッセージングユニット１０１がグリーンサービスに加入しているかどうかを判定する（３０３）。１つの例示的な実施形態では、基地局１０３は、メッセージングユニットがグリーンサービスに加入しているかどうかを判定するために、プロセッサ１０７と通信する。プロセッサ１０７は、好ましくは、データベース１０５にアクセスして、そのメッセージングユニットに関連する加入者記録内のフィールドを検査する。そのメッセージングユニットがグリーンサービスに加入していない場合、このプロセスは、ステップ２０７に進んで、当初受信されたテキストメッセージを送信する。
【００４０】
メッセージングユニット１０１がグリーンサービスに加入している場合、無線ネットワーク１０２は、ステップ３０５および３０７を実行する。
【００４１】
プロセッサ１０７は、受信されたテキストメッセージをグリーンテキストメッセージへと変更する（３０５）。１つの例示的な実施形態では、このグリーンテキストメッセージは、受信されたテキストメッセージのテキストと、そのメッセージが環境に優しいメッセージであるという表示とを含む。例えば、この表示は、画像、テキストのフォーマットに対する変更、背景の変更、またはそのメッセージが環境問題に敏感なユーザから受信されているという任意のその他の表示とすることができる。
【００４２】
１つの例示的な実施形態では、この画像は、地球の絵、リサイクル記号、木、または環境に関する任意のその他の画像などのアイコンである。
【００４３】
別の例示的な実施形態では、このテキストは、グリーンサービスへの加入を示すように変更される。例えば、メッセージのテキストは、送信側がグリーンサービスに加入していることを受信側に示すために、グリーンに変更することができる。
【００４４】
別の例示的な実施形態では、メッセージの背景は、送信側がグリーンサービスに加入していることを示すように変更される。例えば、グリーンＳＭＳメッセージの背景は、グリーンに変更することができ、または滝、森林、樹皮、もしくは任意のその他の環境に優しい背景など、受信側に環境を連想させる模様を有することもできる。
【００４５】
図３に示されている例示的な実施形態では、無線ネットワーク１０２は、グリーンサービスに参加するようメッセージ受信側、すなわちメッセージングユニット１２１を勧誘する（３０６）。１つの例示的な実施形態では、無線ネットワークは、勧誘テキストメッセージをメッセージングユニット１２１に送信する。この勧誘テキストメッセージは、グリーンサービスに加入するようメッセージングユニット１２１を勧誘するメッセージである。メッセージングユニット１２１が、テキストメッセージを無線ネットワークに返送することによってなど、肯定的に応答した場合、無線サービスプロバイダは、メッセージングユニット１２１をグリーンサービスに登録する。１つの例示的な実施形態では、この勧誘テキストメッセージは、グリーンサービスに関する詳細を含むウェブサイトへのリンクを含むことができる。ネットワークの輻輳、およびメッセージ受信側を悩ませることを回避するために、無線ネットワーク１０２は、その勧誘をそれぞれの個々のメッセージ受信側に対して所定の回数だけ送信する。
【００４６】
基地局１０３は、グリーンＳＭＳメッセージ１３１をメッセージングユニット１２１に送信する（３０７）。
【００４７】
本発明は、そのいくつかの例を用いて説明されているが、上の説明に限定されることは意図されておらず、むしろ後に続く特許請求の範囲に記載された範囲だけに限定される。
【図１】
2012501491.tif 000003
【図２】
2012501491.tif 000004
【図３】
2012501491.tif 000005
【国際調査報告】
2012501491.tif 000006
2012501491.tif 000007
2012501491.tif 000008